(57)【要約】  本発明は、シューズ、特にスポーツシューズであって、シューズ上部部分（１）と少なくとも２つの部分より構成されたソール（２，３）とを備えており、前記少なくとも２つのソール（２，３）のうちの少なくとも１つの一方のソール部分（２）が足の後側部分内に配置され、前記少なくとも２つのソール（２，３）のうちの少なくとも１つの他方のソール部分（３）が、地面に面した側の領域に少なくとも２つの切り抜き部（４，５）を有しており、これらの切り抜き部の大きさ及び形状が、シューズ上部部分（１）との接触領域におけるソール部分（２，３）の大きさ及び形状に相当しており、前記ソール部分（２，３）が前記切り抜き部（４，５）内に挿入されるか、又は前記切り抜き部（４，５）に当て付けられ、シューズ上部部分（１）に永久的に結合されている形式のものに関する。シューズの重量を軽量にすると共にシューズの高いフレキシブル性を得るために、本発明によれば、前記シューズ上部部分（１）も、また前記ソール部分（２，３）も、小さい曲げ剛性を有する材料より成っており、足の形状に適合された、大きい曲げ剛性を有するソールエレメント（７）が、ソール部分（２，３）の上側でシューズ内に配置されている。
2009522074.tif 000002
【特許請求の範囲】
【請求項１】
シューズ、殊にスポーツシューズであって、シューズ上部部分（１）と少なくとも２つの部分より構成されたソール（２，３）とを備えており、前記少なくとも２つのソール（２，３）のうちの少なくとも１つの一方のソール部分（２）が足の後側部分内に配置され、前記少なくとも２つのソール（２，３）のうちの少なくとも１つの他方のソール部分（３）が、地面に面した側の領域に少なくとも２つの切り抜き部（４，５）を有しており、これらの切り抜き部の大きさ及び形状が、シューズ上部部分（１）との接触領域におけるソール部分（２，３）の大きさ及び形状に相当しており、前記ソール部分（２，３）が前記切り抜き部（４，５）内に挿入されるか、又は前記切り抜き部（４，５）に当て付けられ、シューズ上部部分（１）に永久的に結合されている形式のものにおいて、
前記シューズ上部部分（１）も、また前記ソール部分（２，３）も、小さい曲げ剛性を有する材料より成っており、足の形状に適合された、大きい曲げ剛性を有するソールエレメント（７）が、ソール部分（２，３）の上側でシューズ内に配置されていることを特徴とする、シューズ、殊にスポーツシューズ。
【請求項２】
シューズ上部部分（１）が２つのソール部分（２，３）の間に連続的に形成されている、請求項１記載のシューズ。
【請求項３】
シューズ上部部分（１）が２つのソール部分（２，３）間で継ぎ目無しに形成されている、請求項２記載のシューズ。
【請求項４】
少なくとも１つのソール部分（２，３）がシェル状の形に構成されている、請求項１から３までのいずれか１項記載のシューズ。
【請求項５】
前記シューズ部分（２，３）のうちの少なくとも１つがウエブ（６）を有しており、該ウエブ（６）がシューズ上部部分（１）と重なり合っている、請求項１から４までのいずれか１項記載のシューズ。
【請求項６】
前記ウエブ（６）がソール部分（２，３）とシューズ上部部分（１）との接続領域に沿って環状に構成されている、請求項５記載のシューズ。
【請求項７】
前記シューズ上部部分（１）は、その内部が少なくとも部分的にライニング材料によって被覆されている、請求項１から６までのいずれか１項記載のシューズ。
【請求項８】
前記ライニング材料が、ソール部分（２，３）の領域内に延在していない、請求項７記載のシューズ。
【請求項９】
前記シューズ上部部分が、皮革、剛性皮革、及び／又は繊維材料より成っている、請求項１から８までのいずれか１項記載のシューズ。
【請求項１０】
前記ソール部分（２，３）が、ゴム、ポリウレタン、ポリアミド、熱可塑性ゴム、エチルビニールアセテート（ＥＶＡ）又はこれらの材料の混合物より成っている、請求項１から８までのいずれか１項記載のシューズ。
【請求項１１】
前記ソールエレメント（７）が、つま先領域から踵領域まで連続的に延在している、請求項１から１０までのいずれか１項記載のシューズ。
【請求項１２】
前記ソールエレメント（７）が、前側部分と後側部分とから成っており、これら２つの部分がジョイントを介して互いに接続されている、請求項１１記載のシューズ。
【請求項１３】
ジョイントが、前記前側部分と後側部分とに直に射出成形されたプラスチックジョイントとして構成されている、請求項１２記載のシューズ。
【請求項１４】
前記ジョイントが、ポリウレタン、ポリアミド、ポリエチレン、ポリプロピレン又はこれらの材料の混合物より成っている、請求項１３記載のシューズ。
【請求項１５】
前記ソールエレメント（７）が補強繊維を備えている、請求項１から１４までのいずれか１項記載のシューズ。
【請求項１６】
前記補強繊維がガラス繊維又は炭素繊維である、請求項１５記載のシューズ。
【請求項１７】
前記ソールエレメント（７）が少なくとも部分的に隆起した縁部を有している、請求項１から１６までのいずれか１項記載のシューズ。
【請求項１８】
前記シューズ上部部分（１）と前記ソール部分（２，３）とが、互いに縫い合わされている、請求項１から１７までのいずれか１項記載のシューズ。
【請求項１９】
前記シューズ上部部分（１）と前記ソール部分（２，３）とが互いに接着されている、請求項１から１７までのいずれか１項記載のシューズ。
【請求項２０】
前記シューズ上部部分（１）と前記ソール部分（２，３）とが、互いに溶接されている、請求項１から１７までのいずれか１項記載のシューズ。
【請求項２１】
前記２つのソール部分（２，３）のうちの少なくとも一方が換気孔を備えている、請求項１から２０までのいずれか１項記載のシューズ。
【請求項２２】
前記２つのソール部分（２，３）のうちの少なくとも一方が緩衝エレメントを備えている、請求項１から２１までのいずれか１項記載のシューズ。
【発明の詳細な説明】
【技術分野】
【０００１】
本発明は、シューズ、特にスポーツシューズであって、シューズ上部部分と少なくとも２つの部分より構成されたソールとを備えており、前記少なくとも２つのソールのうちの少なくとも１つの一方のソール部分が足の後側部分内に配置され、前記少なくとも２つのソールのうちの少なくとも１つの他方のソール部分が、地面に面した側の領域に少なくとも２つの切り抜き部を有しており、これらの切り抜き部の大きさ及び形状が、シューズ上部部分との接触領域におけるソール部分の大きさ及び形状に相当しており、前記ソール部分が前記切り抜き部内に挿入されるか、又は前記切り抜き部に当て付けられ、シューズ上部部分に永久的に結合されている形式のものに関する。
【０００２】
冒頭に述べた形式のシューズにおいては一般的に、ソール部分とシューズ上部部分とを互いに永久的に結合するために、ソール部分が前側部分の領域及び後側部分の領域でシューズ上部部分に縫い合わせ、かつ／または接着されるようになっている。使用目的に応じて、シューズは、できるだけ軽量でなければならず、またシューズの所定の剛性を必要とするような操作が可能なものでなければならない。冒頭に述べた形式の解決策はアメリカ合衆国特許第２００３／０１２１１７６号明細書に開示されている。
【０００３】
多くの使用例のために、特にシューズを非常にフレキシブルに構成することが望まれている。これは特に、旅行の際にシューズをカバンに入れて携行したい場合に、望まれている。このような関連性において、シューズの重量をできるだけ軽くすることが重要である。
【０００４】
この場合、シューズの特性は、使用時には冒頭に述べた形式のシューズとは不都合に異なっていてはならない。またこの場合、シューズがその着用者の要望（強度特性に関する）に合わせることができるようにすることも望まれている。
【０００５】
もちろん、製造コストをできるだけ安価にすることも重要である。
【０００６】
本発明の課題は、冒頭に述べた形式のシューズ、特にスポーツシューズを改良して、前記のような要求を、従来のものよりも良好に満たすことができるようなものを提供することである。特にシューズは非常に軽量な重量を有していて、フレキシブルに構成され、また着用者の個別の要求に高い程度で合わせることができるものでなければならない。
【０００７】
この課題を解決した本発明によれば、シューズ上部部分も、また前記ソール部分も、小さい曲げ剛性を有する材料より成っており、足の形状に適合された、大きい曲げ剛性を有するソールエレメントが、ソール部分の上側でシューズ内に配置されている。
【０００８】
この場合、シューズ上部部分は、２つのソール部分の間に連続的に形成されており、シューズ上部部分はソール部分間に特に継ぎ目無しで構成されている。
【０００９】
本発明の実施態様によれば、少なくとも１つのソール部分がシェル状の形に構成されている。この場合、特に、足の形に相応に合わせられた、後側領域のためのヒールシェルが想定されている。
【００１０】
ソール部分をシューズ上部部分に良好に固定できるようにするために、本発明の実施態様によれば、シューズ部分のうちの少なくとも１つがウエブを有しており、該ウエブがシューズ上部部分と重なり合っている。この場合、ソール部分は、切り抜き部よりもやや大きく構成されているが、これは冒頭に述べた形式のシューズにおいて、切り抜きの大きさ及び形状が、シューズ上部部分とソール部分との接触領域におけるソール部分の大きさ及び形状に相当する、ということである。ウエブは、ソール部分とシューズ上部部分との接続領域に沿って環状に構成されている。
【００１１】
シューズ上部部分は、その内部が少なくとも部分的にライニング材料によって被覆されている。勿論、ライニング材料は有利にはソール部分の領域まで達していない。
【００１２】
シューズ（シューズ上部部分とソール部分とから成る）を、簡単に小さく折り畳むことができるようにするために、シューズ上部部分も、ソール部分も小さい曲げ剛性を有する材料より成っている。シューズ上部部分は、有利には、皮革、剛性皮革、及び／又は繊維材料より成っている。これに対して、ソール部分は、ゴム、ポリウレタン、ポリアミド、熱可塑性ゴム、エチルビニールアセテート（ＥＶＡ）又はこれらの材料の混合物より成っている。
【００１３】
シューズに、一般的な形式で使用するのに必要な剛性を与えるために、大きい曲げ剛性有する、足の形状に合わせたソールエレメントが、ソール部分の上側に配置される。このソールエレメントは、つま先領域から踵領域まで連続的に延在している。
【００１４】
ソール部分を含むシューズ上部部分のためには小さく、ソールエレメント（インソール）のためには大きい曲げ剛性とは、一方ではソール部分を含むシューズ上部部分が、可撓性若しくは変形性を有し、他方ではソールエレメント（インソール）が、シューズが地面上に位置する場合に水平方向に、かつシューズ長手方向に対して直交する横方向に導入される曲げモーメントに基づいて可撓性若しくは変形性を有する、ということである。このような形式の曲げモーメントがソール部分を含むシューズ上部部分内に、若しくはソールエレメント（インソール）内に導入されると、ソールエレメントの曲げ剛性は、ソール部分を含むシューズ上部部分の曲げ剛性の少なくとも３倍、有利には５倍、特に有利には１０倍である。これとは逆に、前記形式の曲げモーメントに基づく変形は、ソール部分を含むシューズ上部部分において、ソールエレメントの変形の５倍、若しくは１０倍である。
【００１５】
ソールエレメントは、前側部分と後側部分とから成っており、これら２つの部分はジョイント又は関節を介して互いに接続されている。ジョイントは、前記２つの部分（前側部分と後側部分）に直に射出成形されたプラスチックジョイントとして構成されていてよい。また、ジョイントは、ポリウレタン、ポリアミド、ポリエチレン、ポリプロピレン又はこれらの材料の混合物より成っていてよい。
【００１６】
ソールエレメントは補強繊維を備えていてよく、この場合、優先的に、ガラス繊維又は炭素繊維が考えられる。ソールエレメントの剛性は、ソールエレメントが少なくとも部分的に隆起した、かつ／または環状の縁部を有していれば、さらに高められる。
【００１７】
シューズ上部部分とソール部分とは、互いに縫い合わされ、接着され、かつ／または溶接されていてよい。
【００１８】
また、ソール部分は、換気孔又はその他の機能エレメント例えば摩耗ゾーン等を有していてよい。摩耗ゾーンは、ソール部分上に被着された、地面に対する良好な付着性を有するゴム材料を備えたコーティングである。ソール部分自体も、ゴム材料より成っていてよい。同様に、２つのソール部分のうちの少なくとも一方に緩衝エレメントを設けることも可能である。
【００１９】
本発明の提案によれば様々な利点が得られ、特にスポーツシューズとして用いられる場合、特に複合作用によってシューズの取り扱い及び使用法に関する著しい改善が得られる。
【００２０】
直接的な結合、例えば縫いつけによって、及びソール部分の領域にシューズ胴部材料が存在しないことによって、シューズの重量は減少される。
【００２１】
本発明のシューズによれば、複数の材料層（つまりサンドイッチ構造）及びひいては複数の接着箇所が必要とされず、また設けられていないので、それ自体が剛性なインソールを挿入しなければ、非常にフレキシブルなシューズ構造が得られる。
【００２２】
接着箇所は必要としないか、いづれにしても少ない接着箇所しか必要としないので、シューズ胴部は非常に経済的に製造することができる。
【００２３】
僅かな接着剤しか必要とすることがないので、環境にやさしい製造も可能である。
【００２４】
それ自体が剛性なインソールを相応の選択することによって、シューズをそれぞれ個別の要求に合わせることが可能である。この場合、種々異なるインソールの種類によって、シューズ着用者の必要を最適に満たすことができる。
【００２５】
製造時には、シューズ上部部分の形状を靴型の形状に最適に適合させることができる。何故ならば、シューズの底領域に中間層又は材料盛り上げ部を必要としないからである。
【００２６】
図面は本発明の１実施例を示す。
【００２７】
図１は、スポーツシューズの概略的な斜視図、
図２は、ソール部分なしのシューズ上部部分を下から見た斜視図、
図３は、ヒール（踵）部分の斜視図、
図４は、シューズのための硬いインソールの斜視図、
図５ａは、別の実施例によるインソールの、図５ｂのＡ−Ｂ線に沿った断面図、
図５ｂは、図５ａに示したインソールを下から見た図、
図６は、図５ａに示したインソールの中央部の拡大図である。
【００２８】
図１には、シューズ、それもスポーツシューズが示されている。このシューズは、公知の形式でシューズ上部部分１を有している。シューズ上部部分１は２つの部分より成るソール２，３を有しており、シューズの前側にソール部分２が配置されていた、シューズの後ろ側にソール部分３が配置されている。
【００２９】
図２には、ソール部分２，３を省いたシューズ上部部分１が示されている。図示のように、シューズ上部部分１は切り抜き部４，５を有しており、これらの切り抜き部４，５は、ソール部分２，３の形状及び大きさに相当している。本発明によれば、シューズ上部部分１は、地面に面した側に少なくとも２つの切り抜き部４，５を有しており、これらの切り抜き部４，５の大きさ及び形状は、シューズ上部部分１との接触領域におけるソール部分２，３の形状及び大きさに相当する。シューズ部分２，３は、切り抜き部４，５内に挿入されるか、若しくは切り抜き部４，５に組み付けられ、次いでシューズ上部部分１と永久的に結合される。
【００３０】
結合は、縫いつけ、溶接、接着又はこれと類似の形式で行われ、これらの組み合わせも可能である。
【００３１】
切り抜き部５内に装着されるソール部分３は、図３に示されている。ここでは、ソール部分がヒール（踵）部分として構成されており、このヒール部分はその縁部領域で環状のウエブ６を有していて、ウエブ６は、切り抜き部５の縁部領域内でシューズ上部部分１の材料とオーバーラップする（重なり合う）ように構成されている。このオーバーラップ領域内に、ウエブ６の高さに応じて、ソール部分３はシューズ上部部分１と永久的に結合される。
【００３２】
ソール部分２もソール部分３も、柔軟で撓み可能な材料より製造されている。このために、例えばゴムが使用される。剛性の低い上部材料より成るシューズは、例えばカバンに収納するために、規定に従って巻き上げられるか、若しくは丸められるようになっている。
【００３３】
スポーツシューズを通常の状態にするために、使用前に補強する必要がある。このために、図４に示されたインソールとして構成されたソールエレメント７が設けられている。ソールエレメントは、比較的剛性の高い材料より成っている。この場合、特に、補強繊維を備えた硬質プラスチックが想定されている（複合材料）。
【００３４】
ソールエレメント７がシューズ内に挿入されると、シューズに、一般的な使用のために必要な通常の剛性特性が与えられる。ソールエレメント７はシューズ内に解除可能に、つまり接着等で固定されずに配置されている。
【００３５】
胴部若しくはシューズ上部部分１とソール部分２，３とからからシューズは、ソール部分の領域内に胴部若しくはシューズ上部部分の材料が存在しないように、構成されている。ソール部分２，３は、カットアウト若しくは切り抜き部４，５内に直接設けられ、ここで固定される。ソール部分２，３もシューズ上部部分１も、柔軟かつフレキシブルであり、一方、シューズの形状安定性はインソール７によって得られる。
【００３６】
この場合、ソール部分２，３は、機能部分若しくは構成部分、例えば通気孔又は緩衝エレメントを有していてよい。これは特殊な摩耗ゾーン（abrasion zone）であってもよい。
【００３７】
摩擦箇所を避けるために、シューズ内部はライニングで被覆されているが、ソール部分２，３の領域にはライニングは設けられていない。
【００３８】
図４に示したソールエレメント７は部分的に環状の縁部を備えており、これによって曲げに対する強度が高められる。
【００３９】
ソールエレメント７の特別な実施例は、図５ａ、図５ｂ及び図６に示されている。
【００４０】
ソールエレメント７は、その長手方向の長さの半分の位置にヒンジ若しくは関節８を有している。このヒンジ若しくは関節８は、ソール長手方向軸線に対して直交する横方向に延在する切り込み９によって形成されている。この切り込み９は、ソール上面側に延在している。これによって、ソールエレメントが切り込み９に沿って折り畳まれ、切り込み９が曲げ溝を形成するように、ソールの材料はヒンジ若しくは関節８の領域で弱められている。この場合、図５ａに示されているように、ソールエレメント７の前側部分１０及び後側部分１１は、ヒンジ８の箇所を中心にしてそれぞれ下方に移動せしめられるようになっている。
【００４１】
図６に誇張して幅が広く示された切り込み９はロック作用に基づいて、ソールエレメント７の前側部分１０及び後側部分１１がヒンジ８の箇所を中心にして上方に折り畳まれることを阻止する。この点で、ソールは、規定に従った使用時における動作が、一体的に構成されたソールエレメントとは異なっている。
【００４２】
ソールエレメント７の前側部分１０と後側部分１１との間のジョイント８は、ソールエレメント７を射出成形する際に、フィルムヒンジによって構成してもよい。
【００４３】
前記２つの実施例では、ソールエレメント７の上側にも下側にも、邪魔になるような隆起部は形成されていない。
【００４４】
使用時に前側部分１０と後側部分１１とは、互いに所定の整列状態に維持される。ソールエレメント７をシューズ内に挿入した後で、少なくとも２つの剛性な領域が得られる。
【００４５】
図５ａ，図５ｂ及び図６に記載した解決策は、以下の構成を特徴としている。インソールは、場合によってはガラス繊維補強部又は炭素繊維補強部を備えた比較的剛性な複合材料より成るパネル状の部分１２，１３を有している。
【００４６】
パネル状の部分１２，１３は、別の柔軟なプラスチック材料（このプラスチック材料からソールのベース部分１４が形成される）によって射出成形で埋め込まれており、この場合、ソールのベース部分１４は、パネル状の部分１２，１３の側方を把持するか若しくは抱き込むようになっている。
【００４７】
本発明によって提案されたシューズの構成によって、ソールエレメンを取り出した後で、シューズをほぼ巻き上げ、若しくは丸めて、例えばカバンの最初のスペース内に収納する可能性が提供される。使用前に、広げて元に戻されたシューズは、ソールエレメントを挿入することによって補強され、使用準備状態にもたらすことができる。
【図面の簡単な説明】
【００４８】
【図１】スポーツシューズの概略的な斜視図である。
【図２】ソール部分なしのシューズ上部部分を下から見た斜視図である。
【図３】ヒール（踵）部分の斜視図である。
【図４】シューズのための硬いインソールの斜視図である。
【図５】図５ａは、別の実施例によるインソールの、図５ｂのＡ−Ｂ線に沿った断面図、図５ｂは、図５ａに示したインソールを下から見た図である。
【図６】図５ａに示したインソールの中央部の拡大図である。
【００４９】
１  シューズ上部部分、  ２，３  ソール、ソール部分、  ４，５  切り抜き部、  ６  ウエブ、  ７  ソールエレメント（インソール）、  ８  ヒンジ／関節、  ９  切り込み、  １０  前側部分、  １１  後側部分、  １２，１３  パネル状部分、  １４  ソールのベース部分
【図１】
2009522074.tif 000003
【図２】
2009522074.tif 000004
【図３】
2009522074.tif 000005
【図４】
2009522074.tif 000006
【図５ａ】
2009522074.tif 000007
【図５ｂ】
2009522074.tif 000008
【図６】
2009522074.tif 000009
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
スポーツシューズであって、シューズ上部部分（１）と少なくとも２つの部分より構成されたソール（２，３）とを備えており、前記少なくとも２つのソール（２，３）のうちの少なくとも１つの一方のソール部分（２）が足の後側部分内に配置され、前記少なくとも２つのソール（２，３）のうちの少なくとも１つの他方のソール部分（３）が、地面に面した側の領域に少なくとも２つの切り抜き部（４，５）を有しており、これらの切り抜き部の大きさ及び形状が、シューズ上部部分（１）との接触領域におけるソール部分（２，３）の大きさ及び形状に相当しており、前記ソール部分（２，３）が前記切り抜き部（４，５）内に挿入されるか、又は前記切り抜き部（４，５）に当て付けられ、シューズ上部部分（１）に永久的に結合されている形式のものにおいて、
少なくとも１つのソール部分（２，３）がシェル状の形に構成されており、
前記シューズ上部部分（１）も、また前記ソール部分（２，３）も、小さい曲げ剛性を有する材料より成っており、
足の形状に適合された、大きい曲げ剛性を有するソールエレメント（７）が、ソール部分（２，３）の上側でスポーツシューズ内に配置されており、
前記ソールエレメント（７）が、つま先領域から踵領域まで連続的に延在しており、
前記ソールエレメント（７）が少なくとも部分的に隆起した縁部を有している、
ことを特徴とする、スポーツシューズ。
【請求項２】
シューズ上部部分（１）が２つのソール部分（２，３）の間に連続的に形成されている、請求項１記載のスポーツシューズ。
【請求項３】
シューズ上部部分（１）が２つのソール部分（２，３）間で継ぎ目無しに形成されている、請求項２記載のスポーツシューズ。
【請求項４】
前記シューズ部分（２，３）のうちの少なくとも１つがウエブ（６）を有しており、該ウエブ（６）がシューズ上部部分（１）と重なり合っている、請求項１から３までのいずれか１項記載のスポーツシューズ。
【請求項５】
前記ウエブ（６）がソール部分（２，３）とシューズ上部部分（１）との接続領域に沿って環状に構成されている、請求項４記載のスポーツシューズ。
【請求項６】
前記シューズ上部部分（１）は、その内部が少なくとも部分的にライニング材料によって被覆されている、請求項１から５までのいずれか１項記載のスポーツシューズ。
【請求項７】
前記ライニング材料が、ソール部分（２，３）の領域内に延在していない、請求項６記載のスポーツシューズ。
【請求項８】
前記シューズ上部部分が、皮革、剛性皮革、及び／又は繊維材料より成っている、請求項１から７までのいずれか１項記載のスポーツシューズ。
【請求項９】
前記ソール部分（２，３）が、ゴム、ポリウレタン、ポリアミド、熱可塑性ゴム、エチルビニールアセテート（ＥＶＡ）又はこれらの材料の混合物より成っている、請求項１から７までのいずれか１項記載のスポーツシューズ。
【請求項１０】
前記ソールエレメント（７）が、前側部分と後側部分とから成っており、これら２つの部分がジョイントを介して互いに接続されている、請求項１から９までのいずれか１項記載のスポーツシューズ。
【請求項１１】
前記ジョイントが、前記前側部分と後側部分とに直に射出成形されたプラスチックジョイントとして構成されている、請求項１０記載のスポーツシューズ。
【請求項１２】
前記ジョイントが、ポリウレタン、ポリアミド、ポリエチレン、ポリプロピレン又はこれらの材料の混合物より成っている、請求項１１記載のスポーツシューズ。
【請求項１３】
前記ソールエレメント（７）が補強繊維を備えている、請求項１から１２までのいずれか１項記載のスポーツシューズ。
【請求項１４】
前記補強繊維がガラス繊維又は炭素繊維である、請求項１３記載のスポーツシューズ。
【請求項１５】
前記シューズ上部部分（１）と前記ソール部分（２，３）とが、互いに縫い合わされている、請求項１から１４までのいずれか１項記載のスポーツシューズ。
【請求項１６】
前記シューズ上部部分（１）と前記ソール部分（２，３）とが互いに接着されている、請求項１から１４までのいずれか１項記載のスポーツシューズ。
【請求項１７】
前記シューズ上部部分（１）と前記ソール部分（２，３）とが、互いに溶接されている、請求項１から１４までのいずれか１項記載のスポーツシューズ。
【請求項１８】
前記２つのソール部分（２，３）のうちの少なくとも一方が換気孔を備えている、請求項１から１７までのいずれか１項記載のスポーツシューズ。
【請求項１９】
前記２つのソール部分（２，３）のうちの少なくとも一方が緩衝エレメントを備えている、請求項１から１８までのいずれか１項記載のシューズ。
【手続補正２】
【補正対象書類名】明細書
【補正対象項目名】全文
【補正方法】変更
【補正の内容】
【発明の詳細な説明】
【技術分野】
【０００１】
本発明は、スポーツシューズであって、シューズ上部部分と少なくとも２つの部分より構成されたソールとを備えており、前記少なくとも２つのソールのうちの少なくとも１つの一方のソール部分が足の後側部分内に配置され、前記少なくとも２つのソールのうちの少なくとも１つの他方のソール部分が、地面に面した側の領域に少なくとも２つの切り抜き部を有しており、これらの切り抜き部の大きさ及び形状が、シューズ上部部分との接触領域におけるソール部分の大きさ及び形状に相当しており、前記ソール部分が前記切り抜き部内に挿入されるか、又は前記切り抜き部に当て付けられ、シューズ上部部分に永久的に結合されている形式のものに関する。
【０００２】
冒頭に述べた形式のシューズにおいては一般的に、ソール部分とシューズ上部部分とを互いに永久的に結合するために、ソール部分が前側部分の領域及び後側部分の領域でシューズ上部部分に縫い合わせ、かつ／または接着されるようになっている。使用目的に応じて、シューズは、できるだけ軽量でなければならず、またシューズの所定の剛性を必要とするような操作が可能なものでなければならない。冒頭に述べた形式の、バレーシューズのための解決策は、アメリカ合衆国特許第２００３／０１２１１７６号明細書に開示されている。このような形式のその他のバレーシューズは、英国特許第２２４５８１３号明細書、英国特許第２１５６６５２号明細書、並びにアメリカ合衆国特許公告第２００３／００２９０５５号明細書に記載されている。交換可能なエレメントを有するモジュール構造のスポーツシューズは、国際公開第２００４／１０３１０５号パンフレットに開示されている。
【０００３】
多くの使用例のために、シューズを非常にフレキシブルに構成することが望まれている。これは例えば、旅行の際にシューズをカバンに入れて携行したい場合に、望まれている。このような関連性において、シューズの重量をできるだけ軽くすることが重要である。
【０００４】
この場合、シューズの特性は、使用時には冒頭に述べた形式のシューズとは不都合に異なっていてはならない。またこの場合、シューズがその着用者の要望（強度特性に関する）に合わせることができるようにすることも望まれている。
【０００５】
もちろん、製造コストをできるだけ安価にすることも重要である。
【０００６】
本発明の課題は、冒頭に述べた形式のシューズ、特にスポーツシューズを改良して、前記のような要求を、従来のものよりも良好に満たすことができるようなものを提供することである。特にシューズは非常に軽量な重量を有していて、フレキシブルに構成され、また着用者の個別の要求に高い程度で合わせることができるものでなければならない。
【０００７】
この課題を解決した本発明によれば、シューズ上部部分も、また前記ソール部分も、小さい曲げ剛性を有する材料より成っており、足の形状に適合された、大きい曲げ剛性を有するソールエレメントが、ソール部分の上側でシューズ内に配置されており、前記ソールエレメントが、つま先領域から踵領域まで連続的に延在しており、前記ソールエレメントが少なくとも部分的に隆起した縁部を有している。
【０００８】
この場合、シューズ上部部分は、２つのソール部分の間に連続的に形成されており、シューズ上部部分はソール部分間に特に継ぎ目無しで構成されている。
【０００９】
ソール部分がシェル状の形に構成されている場合、特に、足の形に相応に合わせられた、後側領域のためのヒールシェルが想定されている。
【００１０】
ソール部分をシューズ上部部分に良好に固定できるようにするために、本発明の実施態様によれば、シューズ部分のうちの少なくとも１つがウエブを有しており、該ウエブがシューズ上部部分と重なり合っている。この場合、ソール部分は、切り抜き部よりもやや大きく構成されているが、これは冒頭に述べた形式のシューズにおいて、切り抜きの大きさ及び形状が、シューズ上部部分とソール部分との接触領域におけるソール部分の大きさ及び形状に相当する、ということである。ウエブは、ソール部分とシューズ上部部分との接続領域に沿って環状に構成されている。
【００１１】
シューズ上部部分は、その内部が少なくとも部分的にライニング材料によって被覆されている。勿論、ライニング材料は、有利にはソール部分の領域まで延びていない。
【００１２】
シューズ（シューズ上部部分とソール部分とから成る）を、簡単に小さく折り畳むことができるようにするために、シューズ上部部分も、ソール部分も小さい曲げ剛性を有する材料より成っている。シューズ上部部分は、有利には、皮革、剛性皮革、及び／又は繊維材料より成っている。これに対して、ソール部分は、ゴム、ポリウレタン、ポリアミド、熱可塑性ゴム、エチルビニールアセテート（ＥＶＡ）又はこれらの材料の混合物より成っている。
【００１３】
シューズに、一般的な形式で使用するのに必要な剛性を与えるために、大きい曲げ剛性有する、足の形状に合わせたソールエレメントが、ソール部分の上側に配置される。
【００１４】
ソール部分を含むシューズ上部部分のためには小さく、ソールエレメント（インソール）のためには大きい曲げ剛性とは、一方ではソール部分を含むシューズ上部部分が、可撓性若しくは変形性を有し、他方ではソールエレメント（インソール）が、シューズが地面上に位置する場合に水平方向に、かつシューズ長手方向に対して直交する横方向に導入される曲げモーメントに基づいて可撓性若しくは変形性を有する、ということである。このような形式の曲げモーメントがソール部分を含むシューズ上部部分内に、若しくはソールエレメント（インソール）内に導入されると、ソールエレメントの曲げ剛性は、ソール部分を含むシューズ上部部分の曲げ剛性の少なくとも３倍、有利には５倍、特に有利には１０倍である。これとは逆に、前記形式の曲げモーメントに基づく変形は、ソール部分を含むシューズ上部部分において、ソールエレメントの変形の５倍、若しくは１０倍である。
【００１５】
ソールエレメントは、前側部分と後側部分とから成っており、これら２つの部分はジョイント又は関節を介して互いに接続されている。ジョイントは、前記２つの部分（前側部分と後側部分）に直に射出成形されたプラスチックジョイントとして構成されていてよい。また、ジョイントは、ポリウレタン、ポリアミド、ポリエチレン、ポリプロピレン又はこれらの材料の混合物より成っていてよい。
【００１６】
ソールエレメントは補強繊維を備えていてよく、この場合、優先的に、ガラス繊維又は炭素繊維が考えられる。ソールエレメントの剛性は、ソールエレメントが少なくとも部分的に隆起した、かつ／又は環状の縁部によって高められる。
【００１７】
シューズ上部部分とソール部分とは、互いに縫い合わされ、接着され、かつ／または溶接されていてよい。
【００１８】
また、ソール部分は、換気孔又はその他の機能エレメント例えば摩耗ゾーン等を有していてよい。摩耗ゾーンは、ソール部分上に被着された、地面に対する良好な付着性を有するゴム材料を備えたコーティングである。ソール部分自体も、ゴム材料より成っていてよい。同様に、２つのソール部分のうちの少なくとも一方に緩衝エレメントを設けることも可能である。
【００１９】
本発明の提案によれば様々な利点が得られ、特にスポーツシューズとして用いられる場合、特に複合作用によってシューズの取り扱い及び使用法に関する著しい改善が得られる。
【００２０】
直接的な結合、例えば縫いつけによって、及びソール部分の領域にシューズ胴部材料が存在しないことによって、シューズの重量は減少される。
【００２１】
本発明のシューズによれば、複数の材料層（つまりサンドイッチ構造）及びひいては複数の接着箇所が必要とされず、また設けられていないので、それ自体が剛性なインソールを挿入しなければ、非常にフレキシブルなシューズ構造が得られる。
【００２２】
接着箇所は必要としないか、いづれにしても少ない接着箇所しか必要としないので、シューズ胴部は非常に経済的に製造することができる。
【００２３】
僅かな接着剤しか必要とすることがないので、環境にやさしい製造も可能である。
【００２４】
それ自体が剛性なインソールを相応の選択することによって、シューズをそれぞれ個別の要求に合わせることが可能である。この場合、種々異なるインソールの種類によって、シューズ着用者の必要を最適に満たすことができる。
【００２５】
製造時には、シューズ上部部分の形状を靴型の形状に最適に適合させることができる。何故ならば、シューズの底領域に中間層又は材料盛り上げ部を必要としないからである。
【００２６】
図面は本発明の１実施例を示す。
【００２７】
図１は、スポーツシューズの概略的な斜視図、
図２は、ソール部分なしのシューズ上部部分を下から見た斜視図、
図３は、ヒール（踵）部分の斜視図、
図４は、シューズのための硬いインソールの斜視図、
図５ａは、別の実施例によるインソールの、図５ｂのＡ−Ｂ線に沿った断面図、
図５ｂは、図５ａに示したインソールを下から見た図、
図６は、図５ａに示したインソールの中央部の拡大図である。
【００２８】
図１には、シューズ、それもスポーツシューズが示されている。このシューズは、公知の形式でシューズ上部部分１を有している。シューズ上部部分１は２つの部分より成るソール２，３を有しており、シューズの前側にソール部分２が配置されていた、シューズの後ろ側にソール部分３が配置されている。
【００２９】
図２には、ソール部分２，３を省いたシューズ上部部分１が示されている。図示のように、シューズ上部部分１は切り抜き部４，５を有しており、これらの切り抜き部４，５は、ソール部分２，３の形状及び大きさに相当している。本発明によれば、シューズ上部部分１は、地面に面した側に少なくとも２つの切り抜き部４，５を有しており、これらの切り抜き部４，５の大きさ及び形状は、シューズ上部部分１との接触領域におけるソール部分２，３の形状及び大きさに相当する。シューズ部分２，３は、切り抜き部４，５内に挿入されるか、若しくは切り抜き部４，５に組み付けられ、次いでシューズ上部部分１と永久的に結合される。
【００３０】
結合は、縫いつけ、溶接、接着又はこれと類似の形式で行われ、これらの組み合わせも可能である。
【００３１】
切り抜き部５内に装着されるソール部分３は、図３に示されている。ここでは、ソール部分がヒール（踵）部分として構成されており、このヒール部分はその縁部領域で環状のウエブ６を有していて、ウエブ６は、切り抜き部５の縁部領域内でシューズ上部部分１の材料とオーバーラップする（重なり合う）ように構成されている。このオーバーラップ領域内に、ウエブ６の高さに応じて、ソール部分３はシューズ上部部分１と永久的に結合される。
【００３２】
ソール部分２もソール部分３も、柔軟で撓み可能な材料より製造されている。このために、例えばゴムが使用される。剛性の低い上部材料より成るシューズは、例えばカバンに収納するために、規定に従って巻き上げられるか、若しくは丸められるようになっている。
【００３３】
スポーツシューズを通常の状態にするために、使用前に補強する必要がある。このために、図４に示されたインソールとして構成されたソールエレメント７が設けられている。ソールエレメントは、比較的剛性の高い材料より成っている。この場合、特に、補強繊維を備えた硬質プラスチックが想定されている（複合材料）。
【００３４】
ソールエレメント７がシューズ内に挿入されると、シューズに、一般的な使用のために必要な通常の剛性特性が与えられる。ソールエレメント７はシューズ内に解除可能に、つまり接着等で固定されずに配置されている。
【００３５】
胴部若しくはシューズ上部部分１とソール部分２，３とからからシューズは、ソール部分の領域内に胴部若しくはシューズ上部部分の材料が存在しないように、構成されている。ソール部分２，３は、カットアウト若しくは切り抜き部４，５内に直接設けられ、ここで固定される。ソール部分２，３もシューズ上部部分１も、柔軟かつフレキシブルであり、一方、シューズの形状安定性はインソール７によって得られる。
【００３６】
この場合、ソール部分２，３は、機能部分若しくは構成部分、例えば通気孔又は緩衝エレメントを有していてよい。これは特殊な摩耗ゾーン（abrasion zone）であってもよい。
【００３７】
摩擦箇所を避けるために、シューズ内部はライニングで被覆されているが、ソール部分２，３の領域にはライニングは設けられていない。
【００３８】
図４に示したソールエレメント７は部分的に環状の縁部を備えており、これによって曲げに対する強度が高められる。
【００３９】
ソールエレメント７の特別な実施例は、図５ａ、図５ｂ及び図６に示されている。
【００４０】
ソールエレメント７は、その長手方向の長さの半分の位置にヒンジ若しくは関節８を有している。このヒンジ若しくは関節８は、ソール長手方向軸線に対して直交する横方向に延在する切り込み９によって形成されている。この切り込み９は、ソール上面側に延在している。これによって、ソールエレメントが切り込み９に沿って折り畳まれ、切り込み９が曲げ溝を形成するように、ソールの材料はヒンジ若しくは関節８の領域で弱められている。この場合、図５ａに示されているように、ソールエレメント７の前側部分１０及び後側部分１１は、ヒンジ８の箇所を中心にしてそれぞれ下方に移動せしめられるようになっている。
【００４１】
図６に誇張して幅が広く示された切り込み９はロック作用に基づいて、ソールエレメント７の前側部分１０及び後側部分１１がヒンジ８の箇所を中心にして上方に折り畳まれることを阻止する。この点で、ソールは、規定に従った使用時における動作が、一体的に構成されたソールエレメントとは異なっている。
【００４２】
ソールエレメント７の前側部分１０と後側部分１１との間のジョイント８は、ソールエレメント７を射出成形する際に、フィルムヒンジによって構成してもよい。
【００４３】
前記２つの実施例では、ソールエレメント７の上側にも下側にも、邪魔になるような隆起部は形成されていない。
【００４４】
使用時に前側部分１０と後側部分１１とは、互いに所定の整列状態に維持される。ソールエレメント７をシューズ内に挿入した後で、少なくとも２つの剛性な領域が得られる。
【００４５】
図５ａ，図５ｂ及び図６に記載した解決策は、以下の構成を特徴としている。インソールは、場合によってはガラス繊維補強部又は炭素繊維補強部を備えた比較的剛性な複合材料より成るパネル状の部分１２，１３を有している。
【００４６】
パネル状の部分１２，１３は、別の柔軟なプラスチック材料（このプラスチック材料からソールのベース部分１４が形成される）によって射出成形で埋め込まれており、この場合、ソールのベース部分１４は、パネル状の部分１２，１３の側方を把持するか若しくは抱き込むようになっている。
【００４７】
本発明によって提案されたシューズの構成によって、ソールエレメンを取り出した後で、シューズをほぼ巻き上げ、若しくは丸めて、例えばカバンの最初のスペース内に収納する可能性が提供される。使用前に、広げて元に戻されたシューズは、ソールエレメントを挿入することによって補強され、使用準備状態にもたらすことができる。
【図面の簡単な説明】
【００４８】
【図１】スポーツシューズの概略的な斜視図である。
【図２】ソール部分なしのシューズ上部部分を下から見た斜視図である。
【図３】ヒール（踵）部分の斜視図である。
【図４】シューズのための硬いインソールの斜視図である。
【図５】図５ａは、別の実施例によるインソールの、図５ｂのＡ−Ｂ線に沿った断面図、図５ｂは、図５ａに示したインソールを下から見た図である。
【図６】図５ａに示したインソールの中央部の拡大図である。
【符号の説明】
【００４９】
１  シューズ上部部分、  ２，３  ソール、ソール部分、  ４，５  切り抜き部、  ６  ウエブ、  ７  ソールエレメント（インソール）、  ８  ヒンジ／関節、  ９  切り込み、  １０  前側部分、  １１  後側部分、  １２，１３  パネル状部分、  １４  ソールのベース部分
【国際調査報告】
2009522074.tif 000010
2009522074.tif 000011
2009522074.tif 000012
2009522074.tif 000013
2009522074.tif 000014
2009522074.tif 000015